(57)【要約】【課題】本発明は、楽音の発音に先立って、あるいは楽音の発音中に、演奏用のパラメータもしくは演奏用のパラメータのパラメータ値を入力する演奏用パラメータ入力装置に関し、操作性を向上させる。【解決手段】「鍵盤」アイコン６１、「＜」「＞」アイコン６２、「ＯＣＴ」アイコン６３、メッセージ表示領域６８は、主としてタッチペンで操作される領域である。一方、「Ｖ．ＰＡＲＡ」アイコン６４、「Ｈ．ＰＡＲＡ」アイコン６５、「ＩＮＳＴ」アイコン６６、「＋」「−」アイコン６７は、主として指で操作される領域である。このように、タッチパネル上に、主に指などで操作する領域と主にペンで操作する領域とが混在している場合に、タッチパネル上の押圧位置の判定に関して、判定すべき領域に応じて異なる位置判定方式を採用する。【選択図】        図６
2005099871.tif 000002
【特許請求の範囲】
【請求項１】
接触位置を検出するタッチパネルと、該タッチパネルの背面側に配置され表示内容が該タッチパネルを通して視認される、表示内容の変更が自在な表示パネルとを有し、該表示パネルの表示内容と該タッチパネルの操作状態とに応じた、演奏用のパラメータもしくは演奏用のパラメータのパラメータ値を入力する演奏用パラメータ入力装置において、
前記タッチパネル上の接触位置の検出にあたり、該接触位置が該タッチパネル表面が複数に分けられてなる複数の領域のうちのいずれの領域内にあるかに応じて異なる検出手法を用いて該接触位置の検出を行なう接触位置検出手段を備えたことを特徴とする演奏用パラメータ入力装置。
【発明の詳細な説明】
【技術分野】
【０００１】
本発明は、楽音の発音に先立って、あるいは楽音の発音中に、演奏用のパラメータもしくは演奏用のパラメータ値を入力する演奏用パラメータ入力装置に関する。
【背景技術】
【０００２】
従来、電子楽器、自動演奏装置等では、演奏用のパラメータ設定するために、アップダウン・キー、データ・エントリー・スライダー、ロータリー・エンコーダー等の操作子が広く用いられている。また、発音中の楽音の楽音制御を行なうために、ピッチベンダやホイールといった、鍵盤とは独立した操作子も広く用いられている。
【特許文献１】特開平６−２０２６５６号公報
【発明の開示】
【発明が解決しようとする課題】
【０００３】
しかし、従来では、パラメータを設定するにあたり、表示器と操作子が分離されているため、ユーザーが表示器の表示を見ながら直感的に操作子を操作するには問題があった。また、楽音制御に関しても、ピッチベンダやホイールといった鍵盤とは独立した操作子を鍵盤とともに操作する必要があり、その操作に習熟するためには大きな労力を必要としていた。
【０００４】
特許文献１には、コードレス型の電子ペンと、ディスプレイの下面に一体化された磁気的な電子ペン用センサを用い、これら電子ペンと電子ペンセンサとの共振現象により求まる電子ペンの位置データに基づいて、パラメータ設定を行なう技術が提案されている。例えば、電子ペンをディスプレイに押圧して、上方／下方に引いた後、電子ペンをそのまま保持することにより、数値データを所定速度で連続インクリメント／連続デクリメントさせてパラメータ設定を行なうことが記載されており、この方法によればパラメータ設定の操作が簡単である。
【０００５】
しかし、この技術では電子ペン等を用いるため、回路構成が複雑になり、コストアップの要因となる。また数値データを初期速度でのみ連続インクリメント／連続デクリメントするのでは、数値データが少ない場合と多い場合とがあるときに、それら双方に適合する、数値データの変化量の設定が困難であり、このため、パラメータ設定の適切な操作性に欠ける一面が見受けられる。
【０００６】
本発明は、上記事情に鑑み、簡単な操作で、演奏用のパラメータもしくは演奏用のパラメータのパラメータ値を入力することのできる演奏用パラメータ入力装置を提供することを目的とする。
【課題を解決するための手段】
【０００７】
上記目的を達成する本発明の演奏用パラメータ入力装置は、接触位置を検出するタッチパネルと、タッチパネルの背面側に配置され表示内容がタッチパネルを通して視認される、表示内容の変更が自在な表示パネルとを有し、表示パネルの表示内容とタッチパネルの操作状態とに応じた、演奏用のパラメータもしくは演奏用のパラメータのパラメータ値を入力する演奏用パラメータ入力装置において、
タッチパネル上の接触位置の検出にあたり、その接触位置がタッチパネル表面が複数に分けられてなる複数の領域のうちのいずれの領域内にあるかに応じて異なる検出手法を用いて接触位置の検出を行なう接触位置検出手段を備えたことを特徴とする。
【０００８】
タッチパネルの操作において、主に指などで操作する領域と主にペンで操作する領域とが混在しているとき、接触面積の広い指の方が接触位置の判定に時間がかかる。このとき、一律に、指の操作用に合わせて込んでしまうと、ペンで操作する領域での接触位置判定が遅くれ高速応答性に欠けることになり、これとは逆に、ペンの操作用に合わせ込んでしまうと、指で操作したとき接触位置の判定を誤る可能性がある。
【０００９】
本発明の演奏用パラメータ入力装置によれば、領域によって検出手法を分けたため、タッチパネル全体で最も効果的な接触位置検出が行なわれ、検出の正確性と高速応答性との両立が図られる。
【発明の効果】
【００１０】
以上説明したように、本発明によれば、操作性の良好な演奏用パラメータ入力装置が実現する。
【発明を実施するための最良の形態】
【００１１】
以下、本発明の実施形態について説明する。
【００１２】
図１は、本発明の演奏用パラメータ入力装置の第１実施形態が組み込まれた電子楽器のブロック図である。
【００１３】
図１に示す表示器１１には、後述する種々のパラメータや鍵盤等のアイコンが表示される。
【００１４】
タッチパネル１２は、表示器１１上に配設されたアナログ式の透明なパネルであり、タッチした位置を示す位置情報をアナログ信号として出力する。
【００１５】
ＲＯＭ１３には、この図１に示す電子楽器全体の制御を行なうためのプログラムが格納されている。
【００１６】
ＣＰＵ１４は、ＲＯＭ１３に格納されたプログラムに基づいて必要な処理を行なう。またＣＰＵ１４には、Ａ／Ｄ変換器（図示せず）が備えられており、ＣＰＵ１４はこのＡ／Ｄ変換器でタッチパネル１２からの位置情報、押圧情報をＡ／Ｄ変換する。
【００１７】
ＲＡＭ１５には、ＣＰＵ１４でＡ／Ｄ変換された位置情報、押圧情報や、ＣＰＵ１４がＲＯＭ１３のプログラムを実行する際に必要なデータが一時的に格納される。
【００１８】
音源１６は、タッチパネル１２の各情報に基づいた楽音を生成する。
【００１９】
図２は、図１に示す表示器とタッチパネルから構成された操作パネルを示す図である。
【００２０】
図２に示す操作パネル２０は、表示器１１と、表示器１１上に配置された透明なタッチパネル１２から構成されている。この操作パネル２０は、タッチパネル１２が透明のため、表示器１１の表示画面１１ａに表示されるパラメータやアイコンを見ながらタッチパネル１２にタッチすることにより、直感的に、パラメータの設定操作やアイコンの変更操作等を行なうことができる。
【００２１】
図３は、図２に示すタッチパネルの位置検出原理を説明するための図、図４は、タッチパネルとＣＰＵとの間に介在するインターフェース部の回路図である。
【００２２】
図３には、タッチパネル１２の位置情報のうちのｘ方向の位置を検出するための説明図（ａ）と、ｙ方向の位置を検出するための説明図（ｂ）とが示されている。
【００２３】
先ず、ｘ方向の位置の検出原理について、図３（ａ）、図４を参照して説明する。
【００２４】
図３（ａ）に示すタッチパネル１２は、抵抗体が均一に塗布され、互いに所定の距離を隔てて上下に重ねられた２枚のシート１２ｘ，１２ｙから構成されている。
【００２５】
シート１２ｘには、そのシート１２ｘの、互いに向き合う図３（ａ）の左右２辺に端子１２ｘ１ ，１２ｘ２ が備えられており、またシート１２ｙには、そのシート１２ｙの、互いに向き合う図３（ａ）の上下２辺に端子１２ｙ１ ，１２ｙ２ が備えられている。
【００２６】
一方、図４に示すＣＰＵ１４のポート１，２双方から‘Ｈ’レベルの信号が出力され、これによりインターフェース部３６を構成するトリステートバッファ３６ａ、トランジスタ３６ｂ双方が導通状態になり、端子１２ｘ１ が接地され、端子１２ｘ２ には電圧Ｖが印加される。一方、ＣＰＵ１４のポート３，４双方から‘Ｌ’レベルの信号が出力され、これによりトリステートバッファ３４ｃ、トランジスタ３４ｄ双方が遮断状態になる。ここで、タッチパネル１２の図３（ａ）に示すｘ点がタッチペン３１で押されると、シート１２ｘとシート１２ｙが接触し、シート１２ｘの、タッチペン３１で押されたｘ点のｘ方向の位置に応じた電圧降下が生じその降下した電圧が端子１２ｙ２ から出力される。端子１２ｙ２ から出力された電圧は、抵抗３２、キャパシタ３３からなる回路を経由してＣＰＵ１４のＡ／Ｄ１に入力され、Ａ／Ｄ変換される。このようにしてｘ方向の位置が検出される。
【００２７】
また、ｙ方向の位置を検出するためには、図４に示すＣＰＵ１４のポート３，４双方から‘Ｈ’レベルの信号が出力され、これによりトリステートバッファ３６ｃ、トランジスタ３６ｄ双方が導通状態になり、端子１２ｙ１ が接地され、端子１２ｙ２ に電圧Ｖが印加される。またＣＰＵ１４のポート１，２双方から‘Ｌ’レベルの信号が出力され、これによりトリステートバッファ３４ａ，トランジスタ３４ｂ双方が遮断状態になる。ここで、タッチパネル１２の、図３（ｂ）に示すｘ点がタッチペン３１で押されると、シート１２ｙの、タッチペン３１で押されたｘ点のｙ方向の位置に応じた電圧降下が生じ、その電圧降下により降下した電圧が端子１２ｘ２ に出力される。このｙ方向の電圧は、抵抗３４、キャパシタ３５による回路を経由してＡ／Ｄ２に入力されＡ／Ｄ変換される。このようにしてｙ方向の位置が検出される。
【００２８】
ＣＰＵ１４によって上述したｘ方向、ｙ方向の位置を交互に検出してタッチパネル上の押圧位置を検出する動作について説明する。
【００２９】
説明の便宜を図り、仮にｘ方向の位置を検出するための端子１２ｘ１ を接地し、端子１２ｘ２ に電圧Ｖを印加しており、端子１２ｙ２ から出力している電圧でｘ方向の位置を検出しているものとする。この時、電圧Ｖを印加している端子１２ｘ２ に接続しているキャパシタ３５もチャージされている。次にｙ方向の位置を検出する際には、先ず端子１２ｘ２ に印加されている電圧Ｖを遮断する。するとチャージされていたキャパシタ３５の電荷は抵抗３４、端子１２ｘ２ 、シート１２ｘおよび端子１２ｘ１ を介してグランドに放電し、キャパシタ３５はディスチャージされる。次に、端子１２ｙ１ を接地し、キャパシタが十分ディスチャージされる所定時間後に、ｘ方向の位置を検出する際に接地されていた端子１２ｘ１ を接地状態から切り放しハイインピーダンス状態にする。次に端子１２ｙ２ に電圧Ｖを印加し、端子１２ｘ２ から出力される電圧でｙ方向の位置を検出する。
【００３０】
次にｘ方向の位置を検出する場合は上述したスイッチング動作のｘとｙを入れ替え、キャパシタを３３とし、抵抗を３２としたスイッチング動作が行われ、これらのスイッチング動作を交互に行うことによってタッチパネル上の押圧位置を検出する。
【００３１】
ここで押圧されていない状態では検出する側のキャパシタ３３或いは３５は常にディスチャージされているので接地レベルの電圧を検出している。ＣＰＵは接地レベルの電圧或いはその近傍の電圧と検出した電圧を比較することによって押圧されたか否か、押圧された位置がタッチパネル上の操作領域か否かをも検出している。これらの走査は、ＣＰＵ１４の、図示しないタイマーの周期的な割り込みの発生ごとに処理される。
【００３２】
このように、タッチパネル１２から出力される電圧をＡ／Ｄ変換してデジタル符号としてＣＰＵ１４に読み込んで処理することにより、「タッチパネル１２が押圧された（変化）」、「タッチパネル１２が押圧されている（状態）」、「押圧された、あるいは押圧されている状態でのタッチパネル１２上の押圧位置」、「押圧された状態での押圧位置の変化（摺動操作）」、「タッチパネル１２が押圧から開放された（変化）」、「タッチパネル１２が押圧されていない（状態）」などの情報を得ることが可能である。
【００３３】
これらの情報を得るための処理については、ＲＡＭ１５上に一定時間内の押圧および押圧位置情報等を逐次記憶していくことで、簡単に判定できる。
【００３４】
ただし、タッチパネル１２が押圧されていない状態から押圧された場合、直ちには正しい押圧位置をあらわす電圧は出力されないため、一般には若干のタイムラグを見込んでおく必要がある。また、このタイムラグは、押圧面積の大きなもの（たとえば、指）で押圧するほど大きくなり、押圧に対する位置判定に時間を要する。したがって、主としてタッチペン等の、押圧面積の小さいもので操作する領域と、主として指などの押圧面積の大きなもので操作する領域では、押圧操作に対する位置判定の方法を変更することが望ましい。
【００３５】
ところで、タッチパネル１２からＣＰＵ１４に読み込まれたデジタル値からタッチパネル１２上の実際の押圧位置（座標）を判定するためには、まずデジタル値と実際の位置とのキャリブレーションを行なうことが必要がある。
【００３６】
図５は、タッチパネルにおけるキャリブレーションの説明図である。
【００３７】
キャリブレーション操作は、たとえば、図５に示すようにタッチパネル１２の検出領域の１組の対角にある点を用いて行うことができる。図５において、まずＡ点をタッチペン等で押圧して、Ａ点の電圧データ（ＸＡ，ＹＡ）をとる。次に、Ｂ点についても同様に押圧して、Ｂ点の電圧データ（ＸＢ，ＹＢ）をとる。ここで、タッチパネル１２上の、Ａ点とＢ点とにより定まるｘ方向の距離をＬＸ、ｙ方向の距離をＬＹとすると、これらｘ方向の距離ＬＸ，ｙ方向の距離ＬＹにより、前述した表示器１１の表示可能領域が定まり、この領域は実用上変化しないので、タッチパネル１２上の、この領域における任意の点Ｃを押圧したときの電圧データが（ＸＣ，ＹＣ）であるとすれば、タッチパネル１２の、Ｂ点を基準点とした押圧点の絶対位置（ＬＸｃ，ＬＹｃ）は、
ＬＸｃ＝（ＬＸ／（ＸＡ−ＸＢ））×（ＸＣ−ＸＢ）
ＬＹｃ＝（ＬＹ／（ＹＡ−ＹＢ））×（ＹＣ−ＹＢ）
となる。
【００３８】
ただし、ここでは、Ｂ点の方が、Ａ点に比べて押圧時に低い電圧値を生じるものとし、タッチパネル１２上の、位置による抵抗値変化が充分な直線性を持っているものとする。
【００３９】
このように、本実施形態の操作パネル２０では、表示器１１とタッチパネル１２の位置を相互に合わせておくことにより、タッチパネル１２上の押圧操作、摺動操作を、表示器１１上の表示要素の位置と対応付けることができる。
【００４０】
図６は、図２に示す操作パネルにおける表示例を示した図である。
【００４１】
図６に示す、鍵盤を模擬した「鍵盤」アイコン６１は、選択されているパートの鍵盤を表わしており、この鍵盤をタッチすることにより、その鍵盤の発音域および選択されているパートの音色で演奏することができ、また摺動操作により、発音中の楽音に対するさまざまな楽音制御が可能である。
【００４２】
「＜」「＞」アイコン６２は、「鍵盤」アイコン６１で示される鍵盤の発音域をオクターブ単位でシフトするためのものである。
【００４３】
「ＯＣＴ」アイコン６３は、「鍵盤」アイコン６１で示される鍵盤の発音域を、現在の発音域に関係なく基準域に戻す役割りを成す。
【００４４】
「Ｖ．ＰＡＲＡ」アイコン６４は、選択されているパートの鍵盤の縦方向への摺動動作により制御される楽音パラメータの設定画面に切り換えるアイコンである。
【００４５】
「Ｈ．ＰＡＲＡ」アイコン６５は、選択されているパートの鍵盤の横方向への摺動動作により制御される楽音パラメータの設定画面に切り換えるアイコンである。
【００４６】
「ＩＮＳＴ」アイコン６６は、選択されているパートの鍵盤に、発音する音色を割当てる画面に切り換えるアイコンである。
【００４７】
「＋」「−」アイコン６７は、変更可能な表示要素をタッチぺンでタッチすると表示が点滅するが、その表示が点滅しているときに、これらの「＋」「−」アイコン６７をタッチすることで、値を変更するためのアイコンである。尚、不用意に値を変更してしまわないように、表示要素が点滅していないときは、これらの「＋」「−」アイコン６７を押しても、値は変化しない。
【００４８】
メッセージ表示領域６８は、１６文字×１行の大きさの表示領域を有しており、タッチされることにより、例えば音色名が表示される。
【００４９】
ここで、「鍵盤」アイコン６１、「＜」「＞」アイコン６２、「ＯＣＴ」アイコン６３、メッセージ表示領域６８は、主としてタッチペンで操作される領域である。一方、「Ｖ．ＰＡＲＡ」アイコン６４、「Ｈ．ＰＡＲＡ」アイコン６５、「ＩＮＳＴ」アイコン６６、「＋」「−」アイコン６７は、主として指で操作される領域である。これら指で操作される領域は、タッチペンで操作される領域と比較し、操作位置の判定に時間をかけるようにしている。
【００５０】
すなわち、タッチペンで操作される領域では２回の走査を行い、２回目の値でタッチされた位置を判定しており、指で操作される領域では３回の走査を行い、３回目の値でタッチされた位置を判定している。この場合、走査回数の決定方法は、１回目の走査による値でタッチパネル上の大凡の位置を検出し、その値がタッチペンで操作される領域に対応する２回目の走査の値で、その値が指で操作される領域に対応するならば３回目の値で位置を判定するようになっている。
【００５１】
また上述のように走査回数が予め決められているのではなく、走査により出力された値を順次バッファに記憶しておき、その値が一定範囲内に収束した場合にその値で位置を判定するようにしてもよい。
【００５２】
さらに、走査回数を１回目の走査の値で決定するのではなく、予め走査回数に応じて２分割したタッチパネルを用い、分割した一方のタッチパネルでは２回目の走査で位置を判定し、他方のタッチパネルでは３回目の走査で判定を検出するようにしてもよい。
【００５３】
このように、タッチパネル上に、主に指などで操作する領域と主にペンで操作する領域とが混在している場合に、タッチパネル上の押圧位置の判定に関して、判定すべき領域に応じて異なる位置判定方式を採用することで、たとえば一律に指の操作用に合わせ込んで、タッチペンで操作すべきところまで位置判定が遅くなることや、逆に、一律にタッチペンの操作用に合わせ込んで、指で操作すべきところの領域の位置判定を誤るといった可能性を防止することができる。従って判定方式を領域によって分けることで、タッチパネル全体で最も効率的な判定が可能となり、快適な操作系を実現できる。
【００５４】
本実施形態では、操作パネル２０上の「鍵盤」アイコン６１にタッチすることで、１６パートの内蔵マルチティンバー音源を発音させ、「鍵盤」アイコン６１近傍での、後述する摺動動作によって、発音中の楽音パラメータを制御することができる。また、発音中の楽音の制御以外に、マルチティンバーの各パートへの音色の割当てや、「鍵盤」アイコン６１で、発音時に制御する楽音パラメータの設定等を行うことができる。これらについても後述する。
【００５５】
図７は、操作パネルにおける、各パートへの音色（インスト）の割当て操作を説明するための図（表示例）である。
【００５６】
操作パネル２０上の「ＩＮＳＴ」アイコン６６にタッチすると、メッセージ表示領域６８に、図７（ａ）に示す“ｐａｒｔ０８＝Ａ．Ｐｉａｎｏ２”が表示される。この表示は、マルチティンバーのパート０８に“Ａ．Ｐｉａｎｏ２”という名称の音色（インスト）が割当てられていることを表わしている。次に、メッセージ表示領域６８のうちの“Ａ．Ｐｉａｎｏ２”が表示されている表示領域部６８ａをタッチペン３１でタッチすると、“Ａ．Ｐｉａｎｏ２”の文字列が点滅する。
【００５７】
ここでタッチしたままの状態で、図７（ｂ）の上矢印（↑）に示すように表示領域６８ａの上方にタッチペンを摺動すると、音色が図７（ｃ）の“Ａ．Ｐｉａｎｏ２”の上方にかかれている矢印順に一定時間毎に切り替わる。また図７（ｂ）の下矢印（↓）に示すように表示領域６８ａの下方にタッチペンを摺動すると、音色が図７（ｃ）の“Ａ．Ｐｉａｎｏ２”の下方に書かれている矢印順に一定時間毎に切り替わる。摺動操作をやめてもタッチしている限り、音色を設定するパラメータは一定時間毎に切り替えられ、（以下、パラメータが一定時間毎に切り替えられる状態を「早送り」という。）早送りの時間間隔、または変化量（たとえば、テーブル状に記憶している音色の順番の上で２づつ増減するか、３づつ増減するかなど）は摺動距離に応じて変化する。
【００５８】
例えば２５６段階などの値の設定を、一定の摺動距離毎に一定の変化量で変更しようとすると無理があるが、上記のように、摺動操作の距離に応じてパラメータまたはパラメータの設定値の変更速度（早送り速度）を変化させることにより、すなわち、押圧している限り常に早送り状態とし、その送りスピード（または変化の度合い＝例えば、１つずつ増えるか３つずつ増えるか等）を摺動距離によって変化させることにより、限定された領域でも、さまざまなレンジの値を容易に設定することができる。
【００５９】
この操作で設定（値）の変更は、表示領域部６８ａの図７（ｂ）に示す破線で囲まれた範囲の上端または下端を越えて摺動されたときに行われる。
【００６０】
初期押圧位置から一定の距離摺動操作したときに設定を変更することも考えられるが、その方法だと、タッチペン３１によって表示が見にくくなってしまう場合があるという問題がある。そこで摺動操作がタッチパネル上の所定範囲内にとどまっているときは、パラメータまたはパラメータの設定値が変更されないような不感帯を設けることにより、設定すべきパラメータの表示領域を押圧した後一定領域（不感帯）の外に摺動したときに設定が変更されるため、表示が見えやすく快適に操作できる。
【００６１】
また、メッセージ表示領域６８に“ｐａｒｔ０８＝Ａ．Ｐｉａｎｏ２”が表示されている時点で“Ａ．Ｐｉａｎｏ２”の表示領域部６８ａをタッチペン３１でタッチして、“Ａ．Ｐｉａｎｏ２”の文字列を点滅させ、
タッチしたままの状態で左方向又は右方向に摺動することによって、その摺動距離に応じたパートに切り替えることができ、パートの切り替えに連動してそのパートに割り当てられている音色名が表示される。例えば、図７（ｂ）の左矢印（←）の方向に一定距離摺動した場合は、図７（ｄ）に示すように“ｐａｒｔ０８＝Ａ．Ｐｉａｎｏ２”から“ｐａｒｔ０７＝Ａ．Ｂａｓｓ”に切り替えられる。同様に右矢印（→）の方向に摺動した場合は、“ｐａｒｔ０８＝Ａ．Ｐｉａｎｏ２”から“ｐａｒｔ０９＝Ｔ．Ｓａｘ”に切り替えられる。
【００６２】
この操作で設定（値）の変更は、表示領域６８ａの左端または右端を越えて摺動されたときに行われる。
【００６３】
ここで以下の説明に必要なセットという観念について説明する。セットとはある相関関係をもったパラメータの集合のことをいい、ここではパートに相当する。
【００６４】
このようにして、上下の摺動距離に応じて楽音パラメータ（ここでは音色を設定するパラメータ）を加減し、右方向へ一定の距離摺動すると次のセット（Ｐａｒｔ０９）の同じパラメータ（音色を設定するパラメータ）の設定ができるようになり、押したままさらに上下に摺動するとそのセット（Ｐａｒｔ０９）の同じパラメータ値（ここではＴ．Ｓａｘ）を変更することができる。
【００６５】
また押したまま左方向へ一定の距離摺動すると前のセット（ここではＰａｒｔ０７）の同じパラメータ（音色を設定するパラメータ）の設定ができるようになり、押したままさらに上下に摺動するとそのセット（Ｐａｒｔ０７）のパラメータ値（ここではＡ．Ｂａｓｓ）を変更することができる。
【００６６】
従来の電子楽器では、複数のセットで同じパラメータの設定ができる場合、セットの変更操作とパラメータの設定操作を別々に行う必要があるが、このようにすると、セットの変更操作とパラメータ変更操作が統一的に行えるので快適である。たとえば、マルチティンバー音源の各パートごとの楽音パラメータの設定などが簡単にできる。
【００６７】
本実施形態では、詳細は後述するが、「鍵盤」アイコン６１上をタッチペンで縦方向、横方向に摺動して、あらかじめ設定された楽音パラメータを変化させ発音中の楽音を制御することできる。
【００６８】
図８は、楽音発音中に「鍵盤」アイコン上を縦方向に摺動した場合に変化する楽音パラメータを、前もって設定する操作の説明図（表示例）である。
【００６９】
操作パネル２０上の「Ｖ．ＰＡＲＡ」アイコン６４に、タッチペン３１もしくは指でタッチすると、図８（ａ）に示すように、メッセージ表示領域６８に、“Ｖ．Ｐａｒａ１＝ＣＵＴＯＦ”の表示が行われ、これにより「鍵盤」アイコン６１での縦方向の摺動操作によって制御される楽音パラメータの設定画面になる。
【００７０】
次に、メッセージ表示領域６８の、“ＣＵＴＯＦ”が表示された表示領域部６８ａにタッチペン３１でタッチすると、“ＣＵＴＯＦ”の文字列表示が点滅する。ここで表示部６８ａをタッチペン３１でタッチしたままの状態で上方に摺動していくと、図８（ｂ）に示すように「ＭＯＤＵＬ」，「ＢＥＮＤ」と変化する。一方、タッチしたままの状態で下方に摺動していくと、図８（ｂ）に示すように「ＲＥＳＯＮ」，「ＡＦＴＥＲ」と変化する。
【００７１】
設定できる楽音パラメータは以下のとおりである。（各楽音パラメータが制御する内容の説明は省略する。）
ＢＥＮＤ：ピッチベンド
ＭＯＤＵＬ：モジュレーション
ＣＵＴＯＦ：カットオフ周波数
ＲＥＳＯＮ：レゾナンス
ＡＦＴＥＲ：アフタータッチ
ＶＯＬ：ボリューム
ＥＸＰ：エクスプレッション
ＰＡＮ：パン
ＷＡＨ：ワウ効果
ＶＩＢ：ビブラート・レイト
ＬＦＯ：ＬＦＯレイト
ＲＥＶ：リバーブセンド
ＣＨＯ：コーラスセンド
ＤＥＬ：ディレイセンド
ＯＦＦ：設定なし
楽音パラメータを「ＯＦＦ」に設定すると、後述するように、楽音発音中に、「鍵盤」アイコン６１上を縦方向に摺動操作しても、楽音パラメータの制御は行なわれない。
【００７２】
図８（ｃ）はタッチしたままの状態で左右に摺動された時の切り替え表示図である。即ち、押圧したままの状態で右に摺動すると、所定摺動距離毎にＶ．Ｐａｒａ２、Ｖ．Ｐａｒａ３の順に、押圧したままの状態で左に摺動すると、図面中矢印で表示していないが、所定摺動距離毎にＶ．Ｐａｒａ３、Ｖ．Ｐａｒａ２の順に設定したいパラメータに切り替えることができる。このように、「鍵盤」アイコン６１を縦方向に摺動した場合に変化する楽音パラメータの設定は“Ｖ．Ｐａｒａ１〜Ｖ．Ｐａｒａ３”で指定する。
【００７３】
ここでは、後述する楽音発音中の「鍵盤」アイコン６１の縦方向の摺動操作により、“Ｖ．Ｐａｒａ１”から“Ｖ．Ｐａｒａ３”に設定された、３つまでの楽音パラメータを同時に制御することができる。
【００７４】
尚、摺動操作と設定の変化の仕方（早送り等）は、前述のパートへの音色割当ての場合と同様である。
【００７５】
図９は、楽音発音中「鍵盤」アイコン上を横方向に摺動した場合に変化する楽音パラメータを、前もって設定する操作の説明図（表示例）である。
【００７６】
操作パネル２０上の「Ｈ．ＰＡＲＡ」アイコン６５に、タッチペン３１もしくは指でタッチすると、メッセージ表示領域６８には、図９（ａ）に示すように、“Ｈ．Ｍｏｄｅ＝ＰＯＲＴＡ”が表示され、これにより「鍵盤」アイコン６１での横方向の摺動操作によって制御される楽音パラメータの設定画面になる。
【００７７】
ここでメッセージ表示領域６８の、“ＰＯＲＴＡ”が表示されている表示領域部６８ａをタッチペン３１でタッチすると、“ＰＯＲＴＡ”の文字列表示が点滅する。タッチしたままの状態でタッチペン３１を上下に摺動すると、図９（ｂ）に示すように、「ＧＬＩＳ」や「ＯＦＦ」に変化する。
【００７８】
一方、メッセージ表示領域６８の“ＰＯＲＴＡ”が表示されている表示領域部６８ａをタッチペン３１でタッチすると、“ＰＯＲＴＡ”の文字列表示が点滅する。ここで、タッチしたままの状態でタッチペン３１を右に摺動すると、図９（ｃ）に示すように、順次“Ｈ．Ｍｏｄｅ”から“Ｈ．Ｐａｒａ１”，Ｈ．Ｐａｒａ２”，さらに図示しない”“Ｈ．Ｐａｒａ３”に切り換えることができる。
【００７９】
また、タッチしたままの状態でタッチペンを左に摺動すると、一定摺動距離毎に図示しないＨ．Ｐａｒａ３、Ｈ．Ｐａｒａ２、Ｈ．Ｐａｒａ１の順に切り替えることができる。
【００８０】
“Ｈ．Ｐａｒａ１”，“Ｈ．Ｐａｒａ２”，“Ｈ．Ｐａｒａ３”に設定される楽音パラメータは、前述した“Ｖ．Ｐａｒａ１”，“Ｖ．Ｐａｒａ２”，“Ｖ．Ｐａｒａ３”に設定される楽音パラメータと同じものである。ここでは“Ｈ．Ｐａｒａ１”から“Ｈ．Ｐａｒａ３”に設定された、３つまでの楽音パラメータを同時に制御することができる。
【００８１】
横方向の制御では、前述した縦方向の制御とは異なり、“Ｈ．Ｍｏｄｅ”というモード設定が存在する。“Ｈ．Ｍｏｄｅ”が「ＯＦＦ」以外に設定されている場合は、“Ｈ．Ｐａｒａ１”〜“Ｈ．Ｐａｒａ３”の設定は「ＯＦＦ」として扱われる。
【００８２】
ここで、“Ｈ．Ｍｏｄｅ”に設定される楽音パラメータ（図９（ｂ）参照）について説明する。
【００８３】
「ＧＬＩＳ」では、タッチペンで任意の鍵盤領域を押圧することによってその鍵盤、領域に対応する楽音を発生し、発音している鍵盤領域から横方向の摺動により別の鍵盤領域に入る毎にその鍵盤領域に対応する楽音信号を発音指示することによって、グリッサンド演奏を可能にしている。“Ｈ．Ｐａｒａ１”〜“Ｈ．Ｐａｒａ３”はすべて「ＯＦＦ」として扱われる。
【００８４】
「ＰＯＲＴＡ」では、タッチペンで任意の鍵盤領域を押圧することによってその鍵盤、領域に対応する楽音を発生し、発音している鍵盤領域から横方向の摺動により別の鍵盤領域に入る毎に、摺動動作によって別の鍵盤領域に入る前の音高から別の鍵盤領域に入った後の鍵盤領域に対応する音高に滑らかに変化するように楽音信号の音高を制御することによって、ポルタメント演奏を可能にしている。“Ｈ．Ｐａｒａ１”〜“Ｈ．Ｐａｒａ３”はすべて「ＯＦＦ」として扱われる。
【００８５】
「ＯＦＦ」は、１つの鍵で発音中は、横方向の摺動操作で異なる鍵領域に入っても、前記「ＧＬＩＳ」や「ＰＯＲＴＡ」の場合のように鍵盤領域に対応した楽音制御発音指示や音高制御）を行わず、“Ｈ．Ｐａｒａ１”〜“Ｈ．Ｐａｒａ３”の各設定が有効になり、横方向の摺動操作では発音中の音に関して楽音制御する。
【００８６】
再び図９（ａ）に戻って説明を続ける。
【００８７】
図９（ａ）に表示された状態において、“ＰＯＲＴＡ”の表示領域にタッチペン３１でタッチすると“ＰＯＲＴＡ”が点滅する。そのまま右に摺動すると“Ｈ．Ｐａｒａ＊”（＊は１〜３のいずれかを示す）の設定表示になる。ここでは“Ｈ．Ｐａｒａ１＝ＣＵＴＯＦ”が表示されるものとする。次に「ＣＵＴＯＦ」の表示領域にタッチペンでタッチすると「ＣＵＴＯＦ」が点滅する。タッチしたままの状態で上方に摺動していくと「ＭＯＤＵＬ」、「ＢＥＮＤ」・・・と変化する。一方、タッチしたままの状態で下方に摺動していくと、「ＲＥＳＯＮ」、「ＡＦＴＥＲ」・・・と変化する。ここで、「ＯＦＦ」に設定すると、楽音発音中に鍵盤を横方向に摺動しても、楽音パラメータ制御は行なわれない。
【００８８】
“Ｈ．Ｐａｒａ＊”で設定できる楽音パラメータは、本実施形態では、前述したように“Ｖ．Ｐａｒａ＊”と同じであるが、制御に方向性をもたせた方がよいパラメータについては、必ずしも縦、横方向の設定候補が同一である必要はなく、縦、横方向の設定候補の全部もしくは一部が互いに異なっていてもよい。
【００８９】
図１０は、「鍵盤」アイコンによる発音と楽音制御の説明図である。
【００９０】
ただしここでは、
Ｖ．ＰＡＲＡ１＝「ＢＥＮＤ」
Ｖ．ＰＡＲＡ２＝「ＰＡＮ」
Ｖ．ＰＡＲＡ３＝「ＯＦＦ」
Ｈ．ＭＯＤＥ＝「ＧＬＩＳ」
Ｈ．ＰＡＲＡ１＝「ＯＦＦ」
Ｈ．ＰＡＲＡ２＝「ＯＦＦ」
Ｈ．ＰＡＲＡ３＝「ＯＦＦ」
に設定されているものとする。
【００９１】
図１０（ａ）に示す鍵盤アイコン６１のうちの鍵「Ｅ」の表示領域をタッチペン３１でタッチすると、現在選択されているパートの音色の楽音が、「＜」「＞」アイコン６２で設定されたオクターブ音域のＥの音高で発音する。発音している間、鍵盤「Ｅ」の表示領域内に図１０（ｂ）や図１０（ｃ）に示すような“●”が点灯する。
【００９２】
尚発音時は、ＭＩＤＩ等を使って、発音メッセージを外部機器に送信してもよい。
【００９３】
タッチしたままで上方に摺動操作すると、図１０（ｂ）に示す１の位置を起点とした縦方向の摺動距離に応じて、ピッチが上がる（Ｖ．ＰＡＲＡ１＝「ＢＥＮＤ」）とともにステレオ定位が右側にシフトし、（Ｖ．ＰＡＲＡ２＝「ＰＡＮ」）下方に摺動操作すると、図１０（ｂ）に示す２の位置を起点としてピッチが下がるとともにステレオ定位が左側にシフトする。このとき、変化したパラメータとその値がメッセージ表示領域６８に表示される（図１１参照；後述する）。
【００９４】
またタッチしたままで横方向に摺動すると、図１０（ｃ）に示す３，４の位置である鍵領域ごとにリトリガー動作して、グリッサンドが行なわれる。
【００９５】
Ｈ．ＰＡＲＡは、ここに示す例では全て「ＯＦＦ」（無効）であるが、有効な場合は、“Ｈ．ＰＡＲＡ＊”の設定に応じて横方向の摺動距離に応じた楽音制御が行なわれる。
【００９６】
このように、音高指領域である鍵「Ｅ」の表示領域を押圧したまま摺動操作することにより、楽音の発音指示および発音中の楽音を制御するための楽音パラメータの値を変更することができる。一般に鍵盤＋ベンダー、鍵盤＋リボンコントローラ、鍵盤＋ホイールといった構成では、操作技術の習得に時間がかかるが、このように、鍵盤上で楽音を制御することにより、より直感的で簡単な操作が可能となる。
【００９７】
これら縦、横方向の摺動操作による楽音制御は、押圧点からの摺動距離に応じて制御することもできるが、押圧点は毎回微妙に異なるため、その場合、制御の効果は音で確認するしかない。したがって直感的な制御が困難になるため、本実施形態では、押圧を開始した鍵領域から外れて摺動されたときから効果が現れるようになっている。このように、摺動操作がタッチパネル上の所定範囲内にとどまっているときは、楽音パラメータが変更されないような不感帯を設けることにより、この不感帯領域が一種の操作用の「ガイド」的役目を果たし、制御効果があらわれ始める位置が固定されるため、押圧開始位置のばらつきに関係なく、直感的に操作することができる。
【００９８】
図１１は、図１０とは異なる、「鍵盤」アイコンによる発音と楽音制御の説明図である。
【００９９】
図１１に示すメッセージ表示領域６８には、タッチペンを鍵「Ｅ」の領域にタッチした後の上方向への摺動操作による楽音パラメータの変化が概略表示されている。ここではＶ．Ｐａｒａ１，Ｖ．Ｐａｒａ２に設定されたピッチベンド（ＢＥＮＤ）、パン（ＰＡＮ）の各制御状態を表示記号１１１，１１２と、Ｖ．Ｐａｒａ３に設定された「ＯＦＦ」を示す＊が表示されている。
【０１００】
図１１中、上向きの三角印（▲）はパラメータが増加方向に制御されたことを意味し、図示しないが下向きの三角印（▼）はパラメータが減少方向に制御されたことを意味する。
【０１０１】
さらにＨ．Ｐａｒａ１，Ｈ．Ｐａｒａ２，Ｈ．Ｐａｒａ３に設定された３つの「ＯＦＦ」を示す＊も表示されている。
【０１０２】
このように、摺動操作による楽音パラメータを変化が表示することにより、音だけでなく、目視によっても効果を確認することができる。本実施形態では、メッセ−ジ表示領域６８の寸法の都合で、概略表示となっているが、表示領域に余裕のあるときは、これに限らず、パラメータ値そのものや、楽音制御の効果をグラフィックに表現してもよい。
【０１０３】
一般に、楽音パラメータの中には、それぞれ独立に制御せずに、互いに相関を持たせて一緒に制御しても実用上十分な場合も多い。したがって例えば縦方向の摺動操作で１種類の楽音パラメータ、横方向の摺動操作で１種類の楽音パラメータといった、縦横の２次元的に組み合わせた２種類の楽音パラメータを制御するだけではなく、縦方向、横方向それぞれの摺動操作でそれぞれ複数種類の楽音パラメータを同時に制御してもよい。本実施形態はこのような制御が実現できるよう構成されており、多くの楽音パラメータを、縦方向、横方向の摺動動作によって自在にミックスすることができる。従って、従来の電子楽器にはない豊かで斬新な演奏表現が可能となる。
【０１０４】
このように、本実施形態では、縦方向、横方向の摺動動作によって制御される複数の楽音パラメータを選択することができるため、操作者の好みによって自由に制御効果を選んで組合せると、従来の楽器にない楽音制御が可能になる。また、操作の方向性についても自由に選べるので、たとえば、ピッチ変化の場合、キーボード操作では横方向（つまりベンダーレバーやグリッサンド）を選択し、ギタリストでは、縦方向（たとえばチョーキング）を選択するといった、操作者にとって最も適した操作方向を選択することができる。
【０１０５】
なお、本実施形態では、音源が内蔵されているが、ＭＩＤＩを介して外部音源を接続してもよい。その場合、ピッチベンド、モジュレーションといったＭＩＤＩメッセージが定義されているものは、それらを用いて音源を制御してもよいし、また音源の認識可能なシステムエクスクルーシブ・メッセージ等を用いて音源を制御してもよい。また、ＲＳ−４２２等のＭＩＤＩ規格以外のインターフェースを介して音源と接続し、ＭＩＤＩ以外のプロトコルで音源を制御してもよい。
【０１０６】
また、本実施形態の構成に、自動演奏装置を内蔵し、もしくは外部に接続し、摺動操作による楽音制御情報を、記録・再生できるようにしてもよい。摺動操作で制御する楽音制御パラメータは、本実施形態で挙げた以外のものでもよい。また本実施形態における表示器では、「鍵盤」アイコンは１オクターブ＋１音であったが、もっと多くの鍵を有していてもよい。表示器は、液晶、ＣＲＴ、蛍光表示管、ＬＥＤ等、何を用いてもよい。
【０１０７】
さらに本実施形態では、アナログ方式のタッチパネルを使用したが、充分に分解能の大きなマトリックス方式（デジタル方式）の透明タッチパネルを用いてもよい。この場合、検出可能な位置のすべてに、スイッチが配置されているものとして、通常のメカスイッチと同様な処理により位置検出すればよい。
【０１０８】
次に、本発明の第２実施形態について説明する。
【０１０９】
図１２は、本発明の演奏用パラメータ入力装置の第２実施形態が組み込まれた自動演奏装置に備えられた操作パネルを示す図である。
【０１１０】
この自動演奏装置は自動演奏を行なうことができ、その基本構成は、図１に示すブロック図と同様である。また操作パネルを構成するタッチパネルの位置検出技術についても前述した第１実施形態と同様である。
【０１１１】
図１２に示す操作パネル１２０は、表示器１２１と、その表示器１２１上に配置された透明なタッチパネル１２２とから構成されている。
【０１１２】
先ず、操作パネル１２０に表示された画面について説明する。
【０１１３】
「ＴＥＭＰＯ」１２３には、現在の演奏テンポが表示される。図１２ではテンポ値として１２０が表示されている。
【０１１４】
「ＰＡＴＴＥＲＮ」１２４には、現在選択されているパターンが表示される。ここでは、ＲＯＣＫ＿２４／ＯＲＧが表示されている。
【０１１５】
「ＤＲＵＭ  ＳＥＴ」１２５には、現在選択されているパターンに割当てられているドラムセット名が表示される。ここでは“ＲＯＯＭ”が表示されている。
【０１１６】
リセットアイコン１２６は、演奏がストップしているときに押すことにより、選択されているパターンの先頭に戻るためのものである。
【０１１７】
ストップアイコン１２７は、演奏中に押すことにより、パターン演奏を停止するためのものである。
【０１１８】
プレイアイコン１２８は、演奏停止中に押すことにより、選択されているパターンの演奏を開始するためのものである。
【０１１９】
本実施形態では、プリセット・リズム・パターンを選択して自動演奏することができる。リズム・パターンは、６パターンで１組になっており、イントロ（ＩＮＴ）、エンディング（ＥＮＤ）、オリジナル（ＯＲＧ）、バリエーション（ＶＡＲ）、フィルイン１（ＦＬ１）、フィルイン２（ＦＬ２）の６パターンから構成されている。これらの区分を「ディビジョン」と呼ぶ。
【０１２０】
プレイアイコン１２８、ストップアイコン１２７を押すことで、選択されているパターンを繰り返して演奏することができる。
【０１２１】
ここで、パターンの演奏テンポを変更するには、図１２のテンポ値の表示領域をタッチペンでタッチしてから摺動操作する。
【０１２２】
また、パターンの種類／ディビジョンを変更するには、図１２のパターン名の表示領域１２４ａをタッチペンでタッチしてから摺動操作する。
【０１２３】
各パターン（ディビジョンも含む）には、リズム演奏に使用するリズム楽器をセット単位で割当てることができ、このセットを「ドラムセット」と呼ぶ。このドラムセットは、パターンごとに予め最適なものが割当てられている（プリセットセット）が、操作によって割当てを一時的に変更して演奏させることができるようになっている。
【０１２４】
ドラムセットの割当てを変更するには、図１２のドラムセット名の表示領域１２５ａをタッチペンでタッチしてから摺動操作する。
【０１２５】
図１３は図１２に示す操作パネルにおけるテンポ変更操作の説明図である。
【０１２６】
図１３のように、テンポ値の表示領域１２３ａをタッチペンで上下方向に摺動すると一定摺動距離毎に１０ずつ値を変更することができ、左右方向に摺動すると一定摺動距離毎に各１ずつ値を変更することができる。
【０１２７】
したがって、大きく変更したいときは上下に、微調整したいときは左右に摺動すればよいので、シンプルな操作で簡単にテンポ調整ができる。
【０１２８】
このように、上下の摺動距離に応じて大まかにパラメータを加減し、左右の摺動距離に応じて細かく加減すると、広い設定レンジを持つパラメータを設定するときに、早送り操作を行なう必要もなく、限定された領域でも、簡単かつ正確に設定を行なうことができる。
【０１２９】
この操作手法はこの例に捕らわれることなく、粗調整、微調整を要するパラメータすべてに適用することが可能である。
【０１３０】
図１４は、図１２に示す操作パネルにおけるリズム・パターンの変更操作の説明図である。
【０１３１】
図１４のようにパターン名の表示領域１２４ａをタッチペンで上下方向に摺動すると、パターン種類を変更することができ、左右方向に摺動すると、ディビジョンを変更することができる。
【０１３２】
したがって、リズムスタイルの異なるものを選択したいときは上下に、リズムスタイルは固定しておいて曲中での役割ごとに選択したいときは左右に摺動すればよいので、シンプルな操作で簡単に目的のパターンが選択できる。
【０１３３】
この操作手法も、この例に捕らわれることなく、概念的に独立性の強い要素と、概念的に関連性の強い選択要素をもつすべてのパラメータの設定に適用することが可能である。
【０１３４】
たとえば、縦方向で、パターンの音楽ジャンルを選択し、横方向で選択されている音楽ジャンルの中でのパターンバリエーションを選択するなどといった適用を行なってもよい。
【０１３５】
図１５は、図１２に示す操作パネルにおける、リズム・パターンで使用するドラムセットの割当て変更操作の説明図である。
【０１３６】
図１５のように、ドラムセット名の表示領域１２５ａを上下方向に摺動すれば、ドラムセットを仮選択することができる、これはパターンの演奏中などに、目的のセットを選択する途中で、他のドラムセットで演奏してしまわないためである。
【０１３７】
そして、仮選択したのち、右方向に摺動すると、変更すべきドラムセットが確定して、セットが実際に切り換わる。
【０１３８】
もしあやまって仮選択した場合には、仮選択した状態でタッチペンをタッチパネルから離すことによって直前のセットに戻すことができる。
【０１３９】
またプリセット（デフォルト値）に戻す場合には仮選択してから左に摺動操作することによってプリセット（デフォルト値）に戻すことができる。
【０１４０】
また、何回か確定操作を行って演奏したあとで、プリセットセット（デフォルト値）に戻したくなったら、仮選択してから左に摺動操作すれば、プリセットセットに割当てを戻すことができる。
【０１４１】
したがって、この方式によれば、不用意に演奏状態を変えずにリズムセットの設定を変更し、さらに、変更後もいつでも初期設定に戻すことが、統一的にしかも簡単な操作で実現できる。この操作手法も、この例に捕らわれることなく、確定操作を要するパラメータすべてに適用することが可能である。
【図面の簡単な説明】
【０１４２】
【図１】本発明の演奏用パラメータ入力装置の第１実施形態が組み込まれた電子楽器のブロック図である。
【図２】図１に示す表示器とタッチパネルから構成された操作パネルを示す図である。
【図３】図２に示すタッチパネルの位置検出原理を説明するための図である。
【図４】タッチパネルとＣＰＵとの間に介在するインターフェース部の回路図である。
【図５】タッチパネルにおけるキャリブレーションの説明図である。
【図６】図２に示す操作パネルにおける表示例を示した図である。
【図７】操作パネルにおける、各パートへの音色（インスト）の割当て操作を説明するための図である。
【図８】楽音発音中に「鍵盤」アイコン上を縦方向に摺動した場合に変化する楽音パラメータを、前もって設定する操作の説明図である。
【図９】楽音発音中に「鍵盤」アイコン上を横方向に摺動した場合に変化する楽音パラメータを、前もって設定する操作の説明図である。
【図１０】「鍵盤」アイコンによる発音と楽音制御の説明図である。
【図１１】図１０とは異なる、「鍵盤」アイコンによる発音と楽音制御の説明図である。
【図１２】本発明の演奏用パラメータ入力装置の第２実施形態が組み込まれた自動演奏装置に備えられた操作パネルを示す図である。
【図１３】図１２に示す操作パネルにおけるテンポ変更操作の説明図である。
【図１４】図１２に示す操作パネルにおけるリズム・パターンの変更操作の説明図である。
【図１５】図１２に示す操作パネルにおける、リズム・パターンで使用するドラムセットの割当て変更操作の説明図である。
【符号の説明】
【０１４３】
１１，１２１  表示器
１１ａ  表示画面
１２，１２２  タッチパネル
１２ｘ，１２ｙ  シート
１２ｘ１ ，１２ｘ２ ，１２ｙ１ ，１２ｙ２   端子
１３  ＲＯＭ
１４  ＣＰＵ
１５  ＲＡＭ
１６  音源
２０，１２０  操作パネル
３１  タッチペン
３２，３４  抵抗
３３，３５  キャパシタ
３６  インターフェース部
３６ａ，３６ｃ  トリステートバッファ
３６ｂ，３６ｄ  トランジスタ
６１  「鍵盤」アイコン
６２  「＜」「＞」アイコン
６３  「ＯＣＴ」アイコン
６４  「Ｖ．ＰＡＲＡ」アイコン
６５  「Ｈ．ＰＡＲＡ」アイコン
６６  「ＩＮＳＴ」アイコン
６７  「＋」「−」アイコン
６８  メッセージ表示領域
６８ａ  表示領域部
【図１】
2005099871.tif 000003
【図２】
2005099871.tif 000004
【図３】
2005099871.tif 000005
【図４】
2005099871.tif 000006
【図５】
2005099871.tif 000007
【図６】
2005099871.tif 000008
【図７】
2005099871.tif 000009
【図８】
2005099871.tif 000010
【図９】
2005099871.tif 000011
【図１０】
2005099871.tif 000012
【図１１】
2005099871.tif 000013
【図１２】
2005099871.tif 000014
【図１３】
2005099871.tif 000015
【図１４】
2005099871.tif 000016
【図１５】
2005099871.tif 000017